(57)【要約】【課題】椰子の繊維状切り屑等に起因するエンジン冷却性能の低下を可及的に防止できる携帯型作業機用塵屑捕捉カバーを提供する。【解決手段】チェーンソー（１）の外装ケース（２０）の空気取入用スリット（２２）を覆うように取り付けられる、複数の開口窓（４０ａ〜４０ｊ）を有するフレーム（４０）と、前記複数の開口窓（４０ａ〜４０ｊ）を覆うように前記フレーム（４０）に一体的に固着されたメッシュ部材（５０）を備え、前記メッシュ部材（５０）と前記外装ケース（２０）との間に、前記メッシュ部材（５０）が前記外装ケース（２０）に吸着されることを回避するための所定の隙間空間（Ｓ）が形成されるように、前記フレーム（４０）の寸法形状や前記メッシュ部材（５０）の固着位置等が設定されてなる。【選択図】図２
2007309207.tif 000002
【特許請求の範囲】
【請求項１】
本体ハウジング（２）内に内燃エンジン用の冷却ファンが配設されるとともに、該冷却ファンを覆うように、多数の空気取入用スリット（２２）が形成された外装ケース（２０）が取り付けられている携帯型作業機（１）に用いられる塵屑捕捉カバー（３０）であって、
前記外装ケース（２０）の空気取入用スリット（２２）を覆うように取り付けられる、複数の開口窓（４０ａ〜４０ｊ）を有するフレーム（４０）と、前記複数の開口窓（４０ａ〜４０ｊ）を覆うように前記フレーム（４０）に一体的に固着されたメッシュ部材（５０）を備えていることを特徴とする携帯型作業機用塵屑捕捉カバー。
【請求項２】
前記メッシュ部材（５０）と前記外装ケース（２０）との間に、前記メッシュ部材（５０）が前記外装ケース（２０）に吸着されることを回避するための所定の隙間空間（Ｓ）が形成されるように、前記フレーム（４０）の寸法形状や前記メッシュ部材（５０）の固着位置等が設定されていることを特徴とする請求項１に記載の携帯型作業機用塵屑捕捉カバー。
【請求項３】
前記メッシュ部材（５０）の外側に前記フレーム（４０）の全部もしくは一部が存在していることを特徴とする請求項１又は２に記載の携帯型作業機用塵屑捕捉カバー。
【請求項４】
前記フレーム（４０）は、弾性撓曲可能な合成樹脂製であることを特徴とする請求項１から３のいずれか一項に記載の携帯型作業機用塵屑捕捉カバー。
【請求項５】
前記メッシュ部材（５０）が前記フレーム（４０）の表面部と裏面部との間に挟まれるようにインサート成形または一体成形されていることを特徴とする請求項１から４のいずれか一項に記載の携帯型作業機用塵屑捕捉カバー。
【請求項６】
前記メッシュ部材（５０）は、ナイロン等の合成樹脂材料又は金属材料で作製されていることを特徴とする請求項１から５のいずれか一項に記載の携帯型作業機用塵屑捕捉カバー。
【請求項７】
前記メッシュ部材（５０）の格子部分は、０．５〜３．０mm角であることを特徴とする請求項１から６のいずれか一項に記載の携帯型作業機用塵屑捕捉カバー。
【請求項８】
前記外装ケース（２０）に着脱可能に取り付けられるようにされていることを特徴とする請求項１から７のいずれか一項に記載の携帯型作業機用塵屑捕捉カバー。
【請求項９】
前記フレーム（４０）に、前記空気取入用スリット（２２）の端縁部に係止される取付用フック（４１〜４４）が設けられていることを特徴とする請求項８に記載の携帯型作業機用塵屑捕捉カバー。
【発明の詳細な説明】
【技術分野】
【０００１】
本発明は、本体ハウジング内に内燃エンジン用の冷却ファンが配設されるとともに、該冷却ファンを覆うように、多数の空気取入用スリットが形成された外装ケースが取り付けられているチェーンソー等の携帯型作業機に用いられる、椰子の切り屑等の塵屑を捕捉するための携帯型作業機用塵屑捕捉カバーに関する。
【背景技術】
【０００２】
携帯型作業機の一つであるチェーンソー１は、例えば、図５に示される如くに、本体ハウジング２の前部右側部に、作業部として、ガイドバー１１及びこれに摺動自在に掛け回されるソーチェーン１２が配在され、前記ソーチェーン１２を、本体ハウジング２内に配置された内燃エンジン（例えば小型空冷２サイクルガソリンエンジン）により駆動するようになっている。
【０００３】
本体ハウジング２の後部には、スロットルトリガー１５等が配置された後ハンドル１４が配設され、中央部付近外周には、概略Ｃ字ないしループ状の前ハンドル１７が左側に張り出した状態で配設され、前部上側には、ハンドガード１９が配設されている。
【０００４】
また、本体ハウジング２の左側部には、前記内燃エンジン用の冷却ファンとリコイルスタータ（図示されているのはスタータハンドル１８のみ）が配設され、それら冷却ファンとスタータとを覆うように、多数の空気取入用スリット２２が形成された外装ケース（ファンケース）２０が取り付けられている。
【０００５】
このような構成のチェーンソー１は、木や枝の切断・剪定作業等に使用されるのであるが、その作業の一つとして、下記特許文献１等にも見られるように、椰子の木の剪定作業にも使用される。
【０００６】
【特許文献１】米国特許第5,687,689号明細書
【発明の開示】
【発明が解決しようとする課題】
【０００７】
ところが、前記椰子の木の剪定作業を行う場合、次のような問題が生じることが明らかになった。すなわち、椰子の剪定時には、切り粉だけでなく、布の切れ端や糸くず等のような繊維状の切り屑が発生し、この繊維状切り屑が外装ケース２０の空気取入用スリット２２から本体ハウジング２内に吸い込まれ、シリンダカバーと冷却フィンとの間等に詰まり、冷却風の流れを阻害し、エンジン冷却性能（風量）を著しく低下させてしまうという問題があった。そして、繊維状切り屑がシリンダカバーと冷却フィンとの間等に詰まると、それを取り除くには、外装ケースやシリンダーカバー等を取り外す等の面倒な作業が必要となる。
【０００８】
このような問題を解消すべく、前記特許文献１には、前記空気取入用スリットを覆うように、前記外装ケースにメッシュ部材を取り付けることが提案されている。
【０００９】
しかしながら、かかる提案のように、メッシュ部材を外装ケース表面に直接張り付けるようにした場合には、（１）メッシュ部材により捕捉された繊維状切り屑によってメッシュ部材が目詰まりを起こし、充分なエンジン冷却性能（風量）を確保できなくなる、（２）木枝との接触等の外的要因によりメッシュ部材に破れ等の損傷を受けやすい、（３）メッシュ部材の取り付け、張り替え等に手間がかかる、等の問題があった。
【００１０】
本発明は、前述した如くの問題に鑑みてなされたもので、その目的とするところは、椰子の繊維状切り屑等に起因するエンジン冷却性能の低下を可及的に防止できる携帯型作業機用塵屑捕捉カバーを提供することにある。
【課題を解決するための手段】
【００１１】
前記の目的を達成すべく、本発明に係る携帯型作業機用塵屑捕捉カバーは、基本的には、本体ハウジング内に内燃エンジン用の冷却ファンが配設されるとともに、該冷却ファンを覆うように、多数の空気取入用スリットが形成された外装ケースが取り付けられている携帯型作業機に用いられるもので、前記外装ケースの空気取入用スリットを覆うように取り付けられる、複数の開口窓を有するフレームと、前記複数の開口窓を覆うように前記フレームに一体的に固着されたメッシュ部材を備えていることを特徴としている。
【００１２】
好ましい態様では、前記メッシュ部材と前記外装ケースとの間に、前記メッシュ部材が前記外装ケースに吸着されることを回避するための所定の隙間空間が形成されるように、前記フレームの寸法形状や前記メッシュ部材の固着位置等が設定される。
他の好ましい態様では、前記メッシュ部材の外側に前記フレームの全部もしくは一部が存在するようにされる。
【００１３】
前記フレームは、好ましくは、弾性撓曲可能な合成樹脂製とされる。
この場合、好ましい態様では、前記メッシュ部材が前記フレームの表面部と裏面部との間に挟まれるようにインサート成形または一体成形される。
【００１４】
前記メッシュ部材は、好ましくは、ナイロン等の合成樹脂材料又は金属材料で作製される。
前記メッシュ部材の格子部分は、好ましくは、切り粉は通すが、繊維状切り屑は捕捉する０．５〜３．０mm角とされる。
他の好ましい態様では、前記外装ケースに着脱可能に取り付けられるようにされる。
より好ましい態様では、前記フレームに、前記空気取入用スリットの端縁部に係止される取付用フックが設けられる。
【発明の効果】
【００１５】
本発明に係る携帯型作業機用塵屑捕捉カバーによれば、メッシュ部材が外装ケースの空気取入用スリットを覆うように配在されるので、椰子の剪定作業時等に発生する繊維状切り屑は、本体ハウジング内に吸入される前にメッシュ部材に捕捉される。そのため、繊維状切り屑がシリンダカバーと冷却フィンとの間等に詰まるような事態を確実に回避でき、所要のエンジン冷却性能（風量）を確保できる。
【００１６】
また、メッシュ部材と外装ケースとの間に、メッシュ部材が外装ケースに吸着されることを回避するための所定の隙間空間が形成されるように、前記フレームの寸法形状等が設定されることにより、従来のようにメッシュ部材を外装ケース表面に直接張り付けた場合に比して、冷却風の実効吸入面積が増加し、しかも、その増加分は、メッシュ部材が冷却ファンの負圧により外装ケースに吸着されて相殺されることがないので、捕捉された繊維状切り屑によってメッシュ部材が部分的に目詰まりを起こしても、充分なエンジン冷却性能（風量）を確保できる。
【００１７】
さらに、メッシュ部材より外側（表面側）にフレーム部分（全部もしくは一部）が存在することにより、メッシュ部材が木枝との接触等の外的要因による損傷を受け難くできる。
また、フレームとメッシュ部材を一体化することにより、充分な構造強度が得られ、さらに、取付用フック等を設けて外装ケースに着脱可能とすることにより、メッシュ部材の清掃時や不要時の取り外し、必要時の取り付けを簡易に行え、利便性が増す。
【発明を実施するための最良の形態】
【００１８】
以下、本発明の携帯型作業機用塵屑捕捉カバーの実施の形態を図面を参照しながら説明する。
【００１９】
図１は、本発明に係る携帯型作業機用塵屑捕捉カバーの一実施形態を示す縦断面図である。
図示実施形態の塵屑捕捉カバー３０は、前述した図５に示される如くのチェーンソー１に用いられるもので、図２に示される如くに、該チェーンソー１における外装ケース２０に、その全ての空気取入用スリット２２を覆うように取り付けられる皿状（図３も参照）のフレーム４０と、ナイロン製のメッシュ部材５０を備えている。
【００２０】
前記フレーム４０は、弾性撓曲可能な合成樹脂製とされ、円形、三角形、四角形等の形状の複数の開口窓４０ａ、４０ｂ、４０ｃ、４０ｄ、４０ｅ、４０ｆ、４０ｇ、４０ｈ、４０ｉ、４０ｊ及びハンドル対接部４６、４７を有している。また、このフレーム４０には、適宜箇所に、前記空気取入用スリット２２の端縁部に係止されるＬ形状の取付用フック４１、４２、４３、４４（図３に取付用フック４１を代表図示）が設けられている。
【００２１】
前記メッシュ部材５０は、図１、図２に加えて、図３を参照すればよくわかるように、前記全ての開口窓４０ａ〜４０ｊを覆うように、フレーム４０の裏面側に例えば接着剤で一体的に固着されており、したがって、ここでは、メッシュ部材５０の外側（表面側）に前記フレーム４０が存在していることになる。
また、前記メッシュ部材５０の格子部分は、切り粉は通すが、繊維状切り屑は捕捉するように、ここでは、２．０mm角とされている。
【００２２】
そして、本実施形態では、図３に示される如くに、前記メッシュ部材５０と前記外装ケース２０との間に所定の隙間空間Ｓが形成されるように、フレーム４０の寸法形状（湾曲度等）が設定されている。
【００２３】
なお、メッシュ部材５０と外装ケース２０との間に所定の隙間空間Ｓを形成するには、上記手法（図３）とは別に、図４に示される如くに、フレームの成型時に、メッシュ部材５０をフレーム４０’の表面部と裏面部との間に挟むようにインサート成形または一体成形するようにしてもよい。この場合も、メッシュ部材５０の外側（表面側）に前記フレーム４０の一部が存在していることになる。
【００２４】
このような構成とされた本実施形態の携帯型作業機用塵屑捕捉カバー３０によれば、メッシュ部材５０が外装ケース２０の空気取入用スリット２２を覆うように配在されるので、椰子の剪定作業時等に発生する繊維状切り屑は、本体ハウジング２内に吸入される前にメッシュ部材５０に捕捉される。そのため、繊維状切り屑がシリンダカバーと冷却フィンとの間等に詰まるような事態を確実に回避でき、所要のエンジン冷却性能（風量）を確保できる。
【００２５】
また、メッシュ部材５０と外装ケース２０との間に所定の隙間空間Ｓが形成されるように、前記フレーム４０の寸法形状等が設定されることにより、従来のようにメッシュ部材を外装ケース表面に直接張り付けた場合に比して、冷却風の実効吸入面積が増加し、しかも、その増加分は、メッシュ部材５０が冷却ファンの負圧で外装ケース２０に吸着されて相殺されることがないので、捕捉された繊維状切り屑によってメッシュ部材が部分的に目詰まりを起こしても、充分なエンジン冷却性能（風量）を確保できる。
この間隙空間Ｓの確保は特に重要であり、メッシュ部材が外装ケースに吸着された場合の、塵屑捕捉能力の著しい低下が確認されているので、本実施形態では、少なくとも２ｍｍ以上となる様に設定されている。
【００２６】
さらに、メッシュ部材５０より外側（表面側）にフレーム４０部分（全部もしくは一部）が存在することにより、メッシュ部材５０が木枝との接触等の外的要因による損傷を受け難くできる。
【００２７】
また、フレーム４０とメッシュ部材５０を一体化することにより、充分な構造強度が得られ、さらに、取付用フック４１〜４４を設けて外装ケース２０に着脱可能とすることにより、不要時の取り外し、必要時の取り付けを簡易に行え、利便性が増す。
【図面の簡単な説明】
【００２８】
【図１】本発明に係る携帯型作業機用塵屑捕捉カバーの一実施形態を示す斜視図。
【図２】図１に示される塵屑捕捉カバーをチェーンソーに取り付けた状態を示す斜視図。
【図３】図２のＩＩＩ−ＩＩＩ矢視断面図。
【図４】他の実施形態を示す、図２のＩＩＩ−ＩＩＩ矢視相当断面図。
【図５】本発明の塵屑捕捉カバーが適用される携帯型作業機としてのチェーンソーを示す斜視図。
【符号の説明】
【００２９】
１    チェーンソー（携帯型作業機）
２    本体ハウジング
２０  外装ケース
２２  空気取入用スリット
３０  塵屑捕捉カバー
４０  フレーム
４０ａ〜４０ｊ  開口窓
４１〜４４  取付用フック
５０  メッシュ部材
【図１】
2007309207.tif 000003
【図２】
2007309207.tif 000004
【図３】
2007309207.tif 000005
【図４】
2007309207.tif 000006
【図５】
2007309207.tif 000007